(57)【要約】      （修正有）【課題】環境条件によらず一定の芳香発散作用を維持し、安価に製造でき、構造がシンプルで、かつコンパクトな芳香発散装置の提供。【解決手段】１階６に配置された液体容器４内の芳香液体４２に吸上芯４３が浸漬され、芯上端４５は仕切壁開口部７１から２階８に突出する。ファン３は翼板等で連結された上側板状部材３３と下側円状リング３２を有し、飛散部材２が下側円状リング３２の上に自由状態で載置され、モータ５が駆動するファン３の回転とともに飛散部材２が回転する。飛散部材２は飛散体２５を含み、飛散体２５の中央部が上下から視認できるように構成される。ファン３が回転すると、芯上端４５の端面４６に回転しながら当接する飛散体２５の中央部は、芯上端４５の芳香液体４２を強制的に掻き飛ばして飛散させ、芳香気体を生成する。生成した芳香気体は、回転するファン３が生成する気流に乗って、周囲に効果的に拡散する芳香発散装置１。【選択図】図１
2018000586.tif 000002
【特許請求の範囲】
【請求項１】
芳香液体を収容する液体容器と、少なくとも前記芳香液体に芯下端が浸漬され、前記芳香液体を吸い上げ前記液体容器の開口部から芯上端が突出する吸上芯と、前記芯上端の端面を擦りながら前記端面に当接して芯上端の芳香液体を強制的に掻き飛ばして飛散させ芳香気体を生成する飛散体を、少なくとも有することを特徴とする芳香発散装置。
【請求項２】
前記飛散体は、前記端面に回転、回動、又は直線状若しくは曲線状の往復運動のいずれかの運動形態で当接する請求項１に記載の芳香発散装置。
【請求項３】
前記芳香気体を大気中に放散させるファンを有し、前記ファンはモータにより回転駆動される請求項1又は２に記載の芳香発散装置。
【請求項４】
前記飛散体は前記ファンに組み込まれており、前記ファンの回転により前記飛散体も回転する請求項３に記載の芳香発散装置。
【請求項５】
前記飛散体の周縁部が上側環状部材と下側環状部材で狭着保持されてなる飛散部材を設け、前記飛散部材は前記飛散体の中央部が上下から視認できるように構成され、前記飛散部材は、前記飛散部材の自重により前記飛散体の中央部が前記端面に載置されるように配置され、前記飛散部材が前記ファンに組み込まれて前記飛散部材が回転する請求項４に記載の芳香発散装置。
【請求項６】
前記飛散部材は前記上側環状部材又は前記下側環状部材から半径方向外方に突設された２本以上の腕を有し、また前記ファンはシロッコファンであり、このシロッコファンは離間させた上側板状部材の周縁部と下側円状リングとを連結する多数の翼板を有し、前記上側板状部材には前記モータの回転軸が挿着され、前記下側円状リングは重力の方向に配置され、前記飛散部材の前記腕の先端は、翼板と翼板の間から突出して前記下側円状リングに載置され、前記飛散部材は自由状態である請求項５に記載の芳香発散装置。
【請求項７】
１階と２階とからなる本体を有し、前記１階には前記液体容器が配置され、前記芯上端は前記２階に突出して配置され、前記飛散体は前記２階に吊下されて前記芯上端に対向して配置され、前記１階及び/又は前記２階には芳香気体の放出口が開口されている請求項１〜６のいずれかに記載の芳香発散装置。
【請求項８】
前記２階には天板が配置され、前記天板の天板開口部から外方に向けて設けられたモータ収納室を有し、前記モータは前記モータ収納室に収納され、前記モータの回転軸は前記天板開口部から前記２階の内部に垂下され、前記回転軸の回転により前記飛散体を回転、回動、又は直線状若しくは曲線状の往復運動のいずれかの運動形態で運動させる請求項７に記載の芳香発散装置。
【請求項９】
前記本体は、上方が開放された１階本体部と、仕切壁とその周壁からなる連結用板部と、上方が天板で覆われ、下方が開放された２階本体部から構成され、前記１階は前記１階本体部を含み、前記２階は前記２階本体部と前記連結用板部を含み、前記連結用板部は前記１階本体部の上に積層配置され、前記２階本体部は前記連結用板部の周壁に内嵌されるように積層配置される請求項７又は８に記載の芳香発散装置。
【請求項１０】
前記飛散体はメッシュ体、線条体、突起体のいずれかである請求項１〜９のいずれかに記載の芳香発散装置。
【請求項１１】
前記モータを制御する制御部を有し、前記制御部は外部電源によって前記モータを駆動し
、又は、前記制御部は前記１階、前記２階、若しくは前記天板に配置された内部電源により前記モータを駆動する請求項８〜１０のいずれかに記載の芳香発散装置。
【請求項１２】
前記制御部はタイマを有し、予め設定した時間の間だけ、或いは予め設定した時間帯において、予め設定した１分当たりの回転数で前記モータを駆動する請求項１１に記載の芳香発散装置。
【発明の詳細な説明】
【技術分野】
【０００１】
本発明は、芳香液体から芳香気体を生成して周囲の空間に供給する芳香発散装置に関する。
【背景技術】
【０００２】
従来、芳香発散装置としては、液体容器内の芳香液体を毛細管現象により吸引して吸水片を湿潤させ、その揮発面から芳香液体を自然蒸発させるものが知られていた。しかし、このタイプの芳香発散装置は、低温や高湿度等の環境条件下においては十分な発散効果を期待できないという欠点を有していた。
【０００３】
この欠点を回避するために、ファンにより上記揮発面に強制送風して芳香剤の発散を促進させる芳香発散装置が開発された。しかし、このタイプの芳香発散装置は、ファンの１分当たりの回転数が一定でも、温度や湿度等の環境条件が異なれば、発散効果も異なるという欠点を有している。
【０００４】
この新たな欠点を回避する公知の方法は本発明者が知る限り、少なくとも３つ存在する。以下で詳述する通り、第１の方法は、上記揮発面に対する空気の吹付け具合を制御するため、スライド板を含む制御機構を設ける方法である。第２の方法は、圧電体振動子と、芳香液体の間欠供給手段を用いる方法である。第３の方法は、センサーで計測される温度等の値に応じてファンの１分当たりの回転数が変化するように、空気の吹付け具合を制御する方法である。
【０００５】
図１０が示すのは第１の公知の方法に係る装置であり、特開２００４−６５６１７号公報（特許文献１）に開示された、蒸発部１０３に対する空気の吹付け具合を制御する調節機構１０７を有する芳香消臭装置である。
【０００６】
当該芳香消臭装置はケース１０１内に、液状の芳香消臭剤を収容した容器１０２と、容器１０２から供給された芳香消臭剤を蒸発させる蒸発部１０３と、蒸発した芳香消臭剤をケース１０１外へ放出させるファン１０４とを備える。ファン１０４は蒸発部１０３に向けて上方から空気を吹付けて蒸発を促進させる目的を有する。蒸発部１０３に対する空気の吹付け具合を制御する調整機構１０７が設けられ、調整機構１０７は、蒸発部１０３とファン１０４との間を仕切る仕切り板１７１と、仕切り板１７１に形成された開口部１７２と、開口部１７２を部分的に塞ぐとともに開口部１７２内をスライド可能に設置されたスライド板１７３とで構成される。
【０００７】
当該芳香消臭装置は、芳香消臭作用の強さを調節機構１０７により多段階に調節することができるので、温度や湿度等の環境条件の影響を緩和できる。しかし、環境条件に応じて人が調節する必要があること、及び、蒸発部１０３と調節機構１０７の上方にファン１０４を配置するため、コンパクトな装置を構成することが難しい難点がある。
【０００８】
図１１が示すのは第２の公知の方法に係る装置であり、特開２００１−１２９０６８号公報（特許文献２）に開示された、瞬時に香りを発生、拡散させ得る芳香発生装置２０１である。
【０００９】
当該芳香発生装置２０１は、圧電体振動子２１０、該圧電体振動子２１０に当接させて配置された放熱体２１２、及び該放熱体２１２に芳香成分を含有する液体を間欠的に供給する供給手段２０８を備え、圧電体振動子２１０を振動させることによって放熱体２１２
に供給された前記液体を霧化させる。霧化された液体は送風ファン２０４によって発生した空気流に乗ってハウジング２０２外へ放出され、香りが拡散する。
【００１０】
当該芳香発生装置は、振動する圧電体振動子２１０から伝わる放熱体２１２の振動により、放熱体２１２に滴下された芳香液体を強制的に霧化するから、滴下量に応じた芳香発生が期待でき、芳香拡散作用の強さに及ぼす温度や湿度等の環境条件の影響を緩和できる利点を有する。しかし、圧電体振動子の加熱を避けるために放熱体を設ける必要があること、環境条件によっては、霧化された芳香液体がハウジング２０２内で結露することがあるので、結露を避けるために滴下量の調節が必要なこと、汚れや結露、高温等により圧電体振動子が劣化しやすく短期間で交換が必要となること、部品点数が多く構造がやや複雑であり、芳香発生装置をコンパクトに構成することが難しいこと、等の難点を有する。
【００１１】
図（１２Ａ）及び図（１２Ｂ）が示すのは第３の公知の方法に係る装置であり、実開昭５９−８３４０号公報（特許文献３）に開示された、ファンにより芳香剤揮発面に吹き付けられる空気量を、温度や照度に応答して可変制御することができる芳香剤発散器である。
【００１２】
当該芳香剤発散器は筐体３０１を有し、筐体３０１の前面板３０２には太陽電池３０６への受光窓３０３、室内照度あるいは温度検知部３０４、揮発した芳香剤を外部へ発散させるスリット３０５が設けられている。筐体３０１の内部には太陽電池３０６、充電用二次電池３０７、制御回路３０８、モータ３０９、モータ３０９の回転軸に取り付けたファン３１０、芳香液体を貯蔵する芳香剤容器３１１、ガラス繊維を内蔵した円筒部３１２、揮発具３１３が設けられている。
【００１３】
当該芳香剤発散器は、室内照度あるいは温度検知部３０４からの信号をもとに、制御回路３０８により、モータ３０９の１分当たりの回転数を可変制御することでファン３１０により揮発具３１３に吹き付けられる空気量を調節する。例えば温度が低いときには上記回転数を上昇させるなど、環境条件に応じて芳香発散の強さを安定化制御できる利点を有する。しかし、吹き付けられる空気量の調節のみによって、温度、照度、湿度等多様な環境条件の変化に対して上記安定化制御を行うことには無理がある。多様な環境条件に対応しようとすれば、上記検知部３０４のセンサー素子の種類は増え、電気的若しくは電子的な制御回路又は制御アルゴリズムは複雑になる。当該芳香剤発散器は、多様な環境条件の変化に対応させようとすればするほど、部品点数が増え、機械的構造と電気的若しくは電子的な回路構成等は複雑化し、コンパクトな芳香剤発散器を実現することが難しくなる難点を有する。
【００１４】
ここで、回転するディスクを有する芳香装置の従来技術として特許第４３２３８１１号公報（特許文献４）を挙げる。図（１３Ａ）は、芳香剤運搬手段４２０としての回転可能に支持されたディスク４２１を有する芳香器４１０の模式図であり、図（１３Ｂ）はそのＩＩ−ＩＩ鉛直線に沿う断面図である。
【００１５】
当該芳香器４１０においては、芳香剤Ｌを収容する容器４１２が揮散領域４１３に対して密封され、容器４１２と揮散領域４１３との間で移動する芳香剤運搬手段４１３としての、ゆっくりと回転するように支持されたディスク４２１は芳香剤Ｌが浸透しないディスクであって、その表面に凹溝からなる捕捉部４２３を備え、ディスク２３の下側の一部は容器４１２内の芳香剤Ｌ中に浸漬され、ディスク４２１の残部は容器４１２に設けた密封部材（２枚のゴム板）４１５から容器４１２の外の揮散領域４１３に位置し、ディスク４２１の表面を両側から密封部材４１５に摺接させつつ容器４１２内の芳香剤Ｌと容器４１２外の揮散領域４１３との間で回動させるようにしている。モータ４３３が駆動するファン４４１の回転によって、吸込口４５１から排気口４５３に向けて流れる気流が揮散領域
４１３内に形成され、ディスク４２１の捕捉部４２３から揮散された芳香剤Ｌの芳香成分は、その気流に乗って芳香器４１０から室内に拡散する。
【００１６】
当該芳香器４１０においては、ゆっくりと回転するディスク４２１が密封部材４１５を通過する過程で、芳香剤Ｌの余剰分が密封部材４１５により掻き取られて容器４１２に滴下して戻るため、捕捉部４２３により容器４１２外へ搬出された芳香剤Ｌだけが揮散し、容器４１２内に残存する芳香剤は密封され続けて揮散しない。したがって、芳香剤の成分のうち揮散しやすい成分だけが先に揮散して芳香剤の組成が経時的に変化するようなことがなく、初期の芳香を長期的に安定供給できる利点がある。
【００１７】
しかし、ゆっくりと回転するディスク４２１上に配置された捕捉部４２３は、図（１３Ａ）からわかるように連通しない凹部である。芳香器４１０においては、芳香の供給は、捕捉部４２３にファン４４１が生成する気流を当てることにより、捕捉された当該凹部に貯まった芳香剤Ｌが自然蒸発することに頼っている。したがって、芳香発散の強さは、気温や湿度等の環境条件の影響を強く受ける。芳香器４１０の発明は、芳香発散の強さを一定に保つために、単位時間当たりのファン４４１の回転数やディスク４２１の回転数を、環境条件に応じて詳細に制御する必要があるという難点を有する。
【先行技術文献】
【特許文献】
【００１８】
【特許文献１】特開２００４−６５６１７号公報
【特許文献２】特開２００１−１２９０６８号公報
【特許文献３】実開昭５９−８３４０号公報
【特許文献４】特許第４３２３８１１号公報
【発明の概要】
【発明が解決しようとする課題】
【００１９】
特許文献１に開示された芳香消臭装置は、スライド板により蒸発部に対する空気の吹付け具合を制御する多段階調節機構を有し、芳香消臭効果に対する温度や湿度等の環境条件の影響を緩和できるが、人がこまめに調節する必要があること、及び、コンパクトな装置を構成することが難しい難点がある。
特許文献２に開示された芳香発生装置は、芳香液体の霧化に圧電体振動子の振動を利用し、滴下量に応じた芳香発生が期待できるが、圧電体振動子の過熱を避ける仕組みが必要であること、結露を避けるために滴下量の調節が必要なこと、圧電体振動子が劣化しやすく短期間で交換が必要となることや、部品点数が多く、芳香発生装置をコンパクトに構成することが難しいこと、等の難点を有する。
特許文献３に開示された芳香剤発散器は、ファンにより芳香剤揮発面に吹き付けられる空気量を、温度や照度に応答して可変制御することで当該環境条件の変動の影響を緩和できるが、多様な環境条件の変化に対応させようとすればするほど、部品点数が増え、機械的・電気構成は複雑化し、コンパクトな芳香剤発散器を実現することが難しくなる難点を有する。
特許文献４に開示された芳香器は、芳香剤の捕捉部を有する回転ディスクを芳香剤運搬手段として用い、密封部材を併用することで、芳香剤を収容する容器を揮発領域に対して密封し、芳香剤の芳香成分が経時変化しにくい芳香器を提供できるが、ファンが生成する気流を捕捉部に吹き付けて、捕捉部の芳香剤が自然蒸発することで芳香を供給しているため、芳香発散の強さが気温や湿度等の環境条件の影響を強く受けるという難点を有する。
本発明の目的は、温度や湿度等の環境条件の変化に影響され難く、一定の芳香発散作用を維持し、装置内結露のおそれが少なく、部品点数が少なく安価に製造可能であり、電気的若しくは電子的構成が単純で、機械的構造がシンプルで、かつコンパクトな芳香発散装置を提供することである。
【課題を解決するための手段】
【００２０】
本発明は上記課題を解決するためになされたものであり、飛散体及び飛散部材からなる新規でシンプルな機械的メカニズムを採用することにより、上記の目的を達成するものである。
【００２１】
本発明の第１の形態は、芳香液体を収容する液体容器と、少なくとも前記芳香液体に芯下端が浸漬され、前記芳香液体を吸い上げ前記液体容器の開口部から芯上端が突出する吸上芯と、前記芯上端の端面を擦りながら前記端面に当接して芯上端の芳香液体を強制的に掻き飛ばして飛散させ芳香気体を生成する飛散体を少なくとも有することを特徴とする芳香発散装置である。
【００２２】
本発明の第２の形態は、前記飛散体が、前記端面に回転、回動、又は直線状若しくは曲線状の往復運動のいずれかの運動形態で当接する芳香発散装置である。
【００２３】
本発明の第３の形態は、前記芳香気体を大気中に放散させるファンを有し、前記ファンはモータにより回転駆動される芳香発散装置である。
【００２４】
本発明の第４の形態は、前記飛散体は前記ファンに組み込まれており、前記ファンの回転により前記飛散体も回転する芳香発散装置である。
【００２５】
本発明の第５の形態は、前記飛散体の周縁部が上側環状部材と下側環状部材で狭着保持されてなる飛散部材を設け、前記飛散部材は前記飛散体の中央部が上下から視認できるように構成され、前記飛散部材は、前記飛散部材の自重により前記飛散体の中央部が前記端面に載置されるように配置され、前記飛散部材が前記ファンに組み込まれて前記飛散部材が回転する芳香発散装置である。
【００２６】
本発明の第６の形態は、前記飛散部材が前記上側環状部材又は前記下側環状部材から半径方向外方に突設された２本以上の腕を有し、また前記ファンはシロッコファンであり、このシロッコファンは離間させた上側板状部材の周縁部と下側円状リングとを連結する多数の翼板を有し、前記上側板状部材には前記モータの回転軸が挿着され、前記下側円状リングは重力の方向に配置され、前記飛散部材の前記腕の先端は、翼板と翼板の間から突出して前記下側円状リングに載置され、前記飛散部材は自由状態である芳香発散装置である。
【００２７】
本発明の第７の形態は、１階と２階とからなる本体を有し、前記１階には前記液体容器が配置され、前記芯上端は前記２階に突出して配置され、前記飛散体は前記２階に吊下されて前記芯上端に対向して配置され、前記１階及び/又は前記２階には芳香気体の放出口が開口されている芳香発散装置である。
【００２８】
本発明の第８の形態は、前記２階には天板が配置され、前記天板の天板開口部から外方に向けて設けられたモータ収納室を有し、前記モータは前記モータ収納室に収納され、前記モータの回転軸は前記天板開口部から前記２階の内部に垂下され、前記回転軸の回転により前記飛散体を回転、回動、又は直線状若しくは曲線状の往復運動のいずれかの運動形態で運動させる芳香発散装置である。
【００２９】
本発明の第９の形態は、前記本体は、上方が開放された１階本体部と、仕切壁とその周壁からなる連結用板部と、上方が天板で覆われ、下方が開放された２階本体部から構成され、前記１階は前記１階本体部を含み、前記２階は前記２階本体部と前記連結用板部を含み、前記連結用板部は前記１階本体部の上に積層配置され、前記２階本体部は前記連結用
板部の周壁に内嵌されるように積層配置される芳香発散装置である。
【００３０】
本発明の第１０の形態は、前記飛散体がメッシュ体、線条体、突起体のいずれかである芳香発散装置である。
【００３１】
本発明の第１１の形態は、前記モータを制御する制御部を有し、前記制御部は外部電源によって前記モータを駆動し、又は、前記制御部は前記１階、前記２階、若しくは前記天板に配置された内部電源により前記モータを駆動する芳香発散装置である。
【００３２】
本発明の第１２の形態は、前記制御部はタイマを有し、予め設定した時間の間だけ、或いは予め設定した時間帯において、予め設定した１分当たりの回転数で前記モータを駆動する芳香発散装置である。
【発明の効果】
【００３３】
本発明の第１の形態によれば、本芳香発散装置は液体容器と吸上芯と飛散体を少なくとも有する。液体容器内の芳香液体は吸上芯の中を上昇し、芯上端を湿潤させる。芯上端の端面には、この端面を擦りながら飛散体が当接して、飛散体は芯上端に含まれる芳香液体を強制的に掻き飛ばして微細な液滴として飛散させ、芳香気体を生成する。
【００３４】
特許文献１や特許文献３若しくは特許文献４に記載の従来技術では、吸上げ等により蒸発部を芳香液体で湿潤させ、ファンが生成する気流を蒸発部に当てて蒸発気化により芳香気体を生成するから、芳香発散作用の強さが温度や湿度などの環境条件の影響を受け、環境条件に応じたファン回転数の制御が必要となる欠点があった。又、特許文献２に記載の従来技術では、圧電体振動子上に滴下した芳香液体を強制的に霧化させるから、滴下する芳香液体の量を温度や湿度等の環境条件に応じて適切に制御しないと、装置内で結露を起こすおそれがあり、又、圧電体振動子が結露や汚れ、高温等により劣化しやすく短期間で交換が必要となる欠点があった。
【００３５】
本形態は、結露や回路素子の劣化のおそれの少ない芳香発散装置をシンプルな機械的構成により容易に提供できる。飛散体を擦るように芯上端に当接させる機構としては、例えば、モータの回転軸に飛散体を取着して飛散体を回転させる機構を採用することができる。本発明においては、掻き飛ばしにより芳香液体から芳香気体を生成するために、圧電体振動子のような劣化しやすい回路素子を用いる必要はない。
【００３６】
本芳香発散装置は通常、芳香液体の単位時間当たりの掻き飛ばし量が、吸上芯における芳香液体の単位時間当たりの上昇量の上限値に達しない条件下で使用される。当該条件下では、飛散体が芯上端を激しく擦れば擦るほど、言い換えれば、飛散体の芯上端に対する相対的な速さを大きくすればするほど、芳香液体の単位時間当たりの掻き飛ばし量を増やすことができる。この掻き飛ばし量は、飛散体が芯上端を擦る激しさによって決まり、温度や湿度等の環境条件の影響をほとんど受けない。したがって、飛散体が芯上端を擦る激しさを制御することで容易に、芳香発散作用の強さを望みの大きさに調節し、かつ装置内結露を起こさないようにすることができる。
【００３７】
吸上芯による芳香液体の吸上げには、例えば毛細管現象を利用することができるが、液体容器内の芳香液体を、毛細管現象だけでなく、ポンプや他の機構による吸い上げ力の補助により吸上芯の中を上昇させ、芯上端へと導く構成を採用してもよい。当該構成は、掻き飛ばしにより芳香液体の量が減少しても、液体容器内で芳香液体の水面を一定の高さに保つ静水圧の原理を利用したメカニズムを含むことができる。
【００３８】
又、吸上芯は、液体容器の開口部から芯上端がわずかに突出するだけで、芯上端の端面
に飛散体を当接させ、上記の芳香発散機能を果たすことができるから、液体容器と吸上芯と飛散体を小さな空間に配置して、コンパクトな芳香発散装置を提供することができる。
【００３９】
本発明の第２の形態によれば、芳香液体で湿潤した芯上端の端面には、回転、回動、又は直線状若しくは曲線状の往復運動のいずれかの運動をしながら飛散体が当接するから、飛散体は芯上端に含まれる芳香液体を掻き飛ばして飛散させ、芳香気体を効率的に生成することができる。
飛散体の回転、回動又は往復運動の運動方向は、芯上端の端面の当接点（又は当接線若しくは当接面）における接平面に含まれる方向である。ここで、往復運動とは、直線状の往復運動はもちろんのこと、円弧や楕円弧等の曲線状の往復運動、楕円運動やリサージュ図形を描く運動など、一般に平面的あるいは空間的に有界な領域内を周期的に或いは多重周期的に若しくは非周期的に行ったり来たりする運動を含む。飛散体の運動形態は、設置条件が許容する芳香発散装置の形状に基づいて、飛散体の構造に基づいて、或いは芳香発散効率が要求される条件を満たすように決めることができる。
【００４０】
本発明の第３の形態によれば、本芳香発散装置はモータにより回転駆動されるファンを有し、ファンは芳香気体を大気中に放散させるから、飛散体により掻き飛ばされて極めて微細な液滴となり飛散した芳香液体から、芳香気体を効率的に生成し、生成した芳香気体を周囲の空間に迅速に拡散させることができる。
本形態において、飛散体を回転、回動又は往復運動させるためにモータを使用する場合、飛散体を回転、回動又は往復運動させるモータは、ファンを回転駆動するモータと同一であってもよく、或いは別に設けてもよい。
【００４１】
ファンの送風により微細な液滴から芳香気体が効率的に生成され、かつ、単位時間あたりに掻き飛ばされる芳香液体の量は、飛散体の回転数若しくは振動数の変更により容易に調節することができるから、結露のおそれの少ない芳香発散装置をシンプルな機械的構成により提供することができる。
【００４２】
本発明の第４の形態によれば、飛散体はファンに組み込まれており、ファンの回転により飛散体も回転するから、飛散体を回転させるモータとファンを回転駆動するモータを共通のものとして、部品点数が少なく安価に製造可能であり、電気的若しくは電子的構成が単純で、機械的構造がシンプルで、かつコンパクトな芳香発散装置を提供することができる。
【００４３】
本発明の第５の形態によれば、本芳香発散装置は、飛散体と上側環状部材と下側環状部材を一体化してなる飛散部材を有し、飛散体の周縁部は上側環状部材と下側環状部材で狭着保持され、飛散部材は飛散体の中央部が上下から視認できるように構成され、飛散部材は、飛散部材の自重により飛散体の中央部が端面に載置されるように配置され、ファンに組み込まれて飛散部材が回転するから、吸上芯の上端の端面に飛散体が当接する際に端面と飛散体が及ぼしあう圧力が、飛散部材の自重により決定され、大きすぎる圧力が加わることがないゆえ、芯上端や飛散体が磨滅するおそれが少ない。本形態は、飛散部材の自重及び飛散体と吸上芯の材質を適切に選択することで、芳香液体を効率的に掻き飛ばし、かつ、芯上端や飛散体が摩耗しにくい芳香発散装置を提供することができる。
【００４４】
本発明の第６の形態によれば、ファンはシロッコファンであり、このシロッコファンは離間させた上側板状部材の周縁部と下側円状リングとを連結する多数の翼板を有し、上側板状部材にはモータの回転軸が挿着され、下側円状リングは重力の方向に配置され、一方、飛散部材は、上側環状部材又は下側環状部材から半径方向外方に突設された２本以上の腕を有し、飛散部材の腕の先端は、翼板と翼板の間から突出して下側円状リングに載置され、飛散部材は自由状態に保たれる。回転するシロッコファンは、下側円状リングの周辺
の空気を吸上げてシロッコファンの内部へと導き、多数の翼板を通して外側へと流出する気流を生成するから、シロッコファン内部の、飛散体と芯上端の端面の当接部位で芳香液体が掻き飛ばされて生成した芳香気体は、回転するシロッコファンの多数の翼板が生成する気流に乗り、効率的に周囲の空間に拡散する。
【００４５】
飛散部材に設けられた２本以上の腕は、飛散部材が鉛直方向への移動の自由状態を保ちつつ、シロッコファンに組み込まれて回転することを可能にする。すなわち、シロッコファンは吸気送風機能を果たすとともに、飛散部材を自由状態を保ちつつ保持し回転させる役割も担っているから、芳香発散装置をコンパクトに構成することができる。飛散部材は自由状態に保たれるから、飛散体が軸上端の端面に大きすぎる圧力を加えて、飛散体や芯上端が磨滅するおそれが少ない。
【００４６】
本発明の第７の形態によれば、本芳香発散装置は、１階と２階とからなる本体を有し、１階には液体容器が配置され、芯上端は２階に突出して配置され、飛散体は２階に吊下されて芯上端に対向して配置され、１階及び/又は２階には芳香気体の放出口が開口されているから、液体容器、芯上端、飛散体、及び放出口を小さな空間に配置し、効率的に芳香を発散させるコンパクトな芳香発生装置を提供することができる。
【００４７】
本発明の第８の形態によれば、本芳香発散装置は、２階に天板が配置され、天板の天板開口部から外方に向けて設けられたモータ収納室を有し、モータはモータ収納室に収納され、モータの回転軸は天板開口部から２階の内部に垂下され、前記端面に当接した飛散体を、当該回転軸の回転により回転、回動又は往復運動のいずれかの運動形態で運動させるから、飛散体とモータの回転軸の空間的な距離が近く、コンパクトな芳香発散装置を提供することができる。
モータは天板開口部から外方に向けて設けられたモータ収納室に収納されるから、芳香気体を含む気流がモータに直接当たることはなく、モータを含む回路素子の結露等による錆びや劣化を防止できる。
【００４８】
本発明の第９の形態によれば、本体が、上方が開放された１階本体部と、仕切壁とその周壁からなる連結用板部と、上方が天板で覆われ、下方が開放された２階本体部から構成され、１階は１階本体部を含み、前記２階は２階本体部と連結用板部を含み、連結用板部は１階本体部の上に積層配置され、２階本体部は連結用板部の周壁に内嵌されるように積層配置されるから、構造的に強固で、かつコンパクトな芳香発散装置を提供することができる。
【００４９】
本発明の第１０の形態によれば、飛散体はメッシュ体、線条体、突起体のいずれかであるから、回転、回動又は往復運動する飛散体が、芳香液体で湿潤した吸上芯上端の端面に当接する状態で、擦りながら効率的に芳香液体を掻き飛ばして芳香気体を生成することができる。又、飛散体若しくは飛散部材と芯上端の材質を適切に選択し、飛散体が端面に当接する際の圧力を調節することで容易に、飛散体や芯上端の磨滅のおそれの少ない芳香発散装置を提供することができる。
【００５０】
本発明の第１１の形態によれば、本芳香発散装置はモータを制御する制御部を有し、制御部は外部電源によって前記モータを駆動し、又は、制御部は１階、２階、若しくは天板に配置された内部電源により前記モータを駆動するから、環境条件に応じて芳香発散の強さを容易に多段階に、或いは連続的に調節することができ、又、特定の場所に据え置いて用い、或いは手軽に持ち運んで使用可能な芳香発散装置を提供することができる。
【００５１】
本発明の第１２の形態によれば、前記制御部はタイマを有し、予め設定した時間の間だけ、或いは予め設定した時間帯において、予め設定した１分当たりの回転数で前記モータ
を駆動するから、予め予定した時間帯の間だけ、或いは、予め予想される環境条件の変化に応じて１分当たりの飛散体の回転数若しくは振動数を変化させるなど、自在な時間調整及び回転数調整を行いつつ、モータを駆動制御する芳香発散装置を提供することができる。
ここで、予め設定した時間の間だけとは、時間の長短にかかわらず断続運転を含み、予め設定した時間帯の間だけとは、昼間運転や夜間停止や時間の長短にかかわらず駆動停止の運転を含む。
【図面の簡単な説明】
【００５２】
【図１】本発明の一実施形態の断面図である。
【図２】本発明の一実施形態における、液体容器４と吸上芯４３、及び芯上端４５に当接する飛散部材２の斜視図である。
【図３】本発明の一実施形態における、液体容器本体４０、液体容器蓋部４１、及び吸上芯４３を互いに分離させた状態を示す斜視図である。
【図４】本発明の一実施形態における、吸上芯４３を挿入した状態の液体容器４と、１階６の斜視図である。
【図５】本発明の一実施形態における、モータ５、放出口８１を含む２階８、及びシロッコファン３０の分解斜視図である。
【図６】本発明の一実施形態における飛散部材２を示す。飛散部材２の分解斜視図（６Ａ）と、飛散部材２の斜視図（６Ｂ）である。
【図７】本発明の図７とは異なる一実施形態における飛散部材２（以下では飛散部材２０と呼ぶ）を示す。飛散部材２０の分解斜視図（７Ａ）と、飛散部材２の斜視図（７Ｂ）である。
【図８】本発明の一実施形態の分解斜視図であり、モータ５、シロッコファン３０、２階本体部８ａ、連結用板部７、及び１階本体部６ａを示す。
【図９】本発明の、図８に示す一実施形態の斜視図である。
【図１０】従来の芳香消臭装置の斜視図である。
【図１１】従来の芳香発生装置の断面図である。
【図１２】従来の芳香剤発散器の斜視図（１２Ａ）及び断面図（１２Ｂ）である。
【図１３】従来の芳香器の模式図（１３Ａ）及び断面図（１３Ｂ）である。
【発明を実施するための形態】
【００５３】
以下に、本発明に係る芳香発散装置の実施形態を図面に従って詳細に説明する。
図１は本発明の芳香発散装置１の１つの実施例を示す。芳香発散装置１には、１階６と２階８が設けられ、１階６は１階本体部６ａを含み、２階８は連結用板部７と２階本体部８ａを含む。
１階６には芳香液体４２を収容する液体容器４が配置される。吸上芯４３の芯下端４４は芳香液体４２に浸漬される。吸上げられた芳香液体４２は、吸上芯４３の内部を通って輸送され、液体容器４の開口部から突出する芯上端４５に達する。
上方が開放された１階本体部６ａの上に積層配置される連結用板部７は、仕切壁７０と周壁７２からなる。仕切壁７０には仕切壁開口部７１が設けられ、芯上端４５は仕切壁開口部７１から２階８に突出している。
【００５４】
上方が天板８２で覆われ下方が開放された２階本体部８ａは、連結用板部７の周壁７２に内嵌されるように積層配置される。モータ収納室８３が天板８２の天板開口部８２ａから外方に向けて設けられ、モータ５がモータ収納室８３に収納され、モータの回転軸５１が天板開口部８２ａから２階８の内部に垂下され、回転矢印５１ａが示すように回転軸５１の回転によりファン３が回転する。ファン３は翼板等で連結された上側板状部材３３と下側円状リング３２を有し、飛散部材２が下側円状リング３２の上に載置され、モータ５が駆動するファン３の回転とともに飛散部材２が回転する。
【００５５】
飛散部材２は飛散体２５を含み、飛散体２５の中央部が上下から視認できるように構成される。ファン３が回転すると、芯上端４５の端面４６に回転しながら当接する飛散体２５の中央部は、芯上端４５の芳香液体４２を強制的に掻き飛ばして飛散させ、芳香気体を生成する。生成した芳香気体は、回転するファン３が生成する気流に乗って、周囲に効果的に拡散する。ファン３を回転させるモータ５の駆動は制御部５２により制御される。
【００５６】
本実施例においては、飛散部材２がファン３に組み込まれ、１つのモータによりファン３の回転と飛散部材２の回転を実現しているから、部品点数が少なく安価に製造可能であり、かつコンパクトな芳香発散装置を提供することができる。しかし、本実施例を変形して２つ以上のモータを設け、飛散部材２の回転とファン３の回転を別々のモータにより駆動してもよい。
【００５７】
本実施例においては、飛散部材２はファン３に組み込まれ、ファン３の回転とともに回転運動している。しかし、本実施例を変形して、飛散部材２をファン３に組み込むことなく、モータ５の回転軸５１の回転運動、若しくはファン３の回転運動、又は別に設けたモータの回転軸の回転運動を、回動又は直線状若しくは曲線状の往復運動に変換するリンク機構を設けて、飛散部材２が芯上端４５の端面６に回動又は往復運動しながら当接して、芯上端４５の芳香液体４２を強制的に掻き飛ばすように構成することもできる。その場合に飛散部材２は、回動又は往復運動が可能であるならば任意の構造と形状をとることができるが、例えば、飛散部材２における飛散体２５は、平面図において円形、楕円形、長方形、正方形の形状であり、回動又は往復運動の方向に垂直な断面図において厚みを有する線分或いはアーチ型の形状をとることができる。更に、飛散部材２は、回動又は往復運動の方向に垂直或いは平行に配置された２つ以上の飛散体２５を含んでも良い。
【００５８】
図２は、図１の実施例における、液体容器４と吸上芯４３、及び芯上端４５に当接して回転する飛散部材２を示す斜視図である。見易くするため、ファン３や下側円状リング３２等は表示していない。液体容器４の開口部から吸上芯４３が突出し、芯上端４５の端面４６に飛散体２５の中央部が当接している。飛散部材２は飛散体２５を狭着保持して構成され、矢印２ａが示す飛散部材２の回転に伴い、飛散体２５が回転する。回転する飛散体２５は、芯上端４５の芳香液体４２を掻き飛ばして飛散させ、芳香気体を生成する。飛散部材２は２本以上の腕２２を有し、腕２２はファン３の下側リング状部材３２に載置される。腕２２に設けられた突起２２ａは、下側リング状部材３２上で飛散部材２が横ずれすることを防ぎ、飛散体２５の中央部が芯上端４５の端面６に当接することを保証する。
【００５９】
飛散体２５は空気を通過させることのできる部材からなり、通常、メッシュ体、線条体、又は突起体により構成される。ここで突起体とは、金属や合成樹脂等の素材からなる薄い板状の部材であって、多数の切り起こし突起が形成されているものを言う。しかしながら、空気を通過させることができ、かつ、芳香液体４２で湿潤した芯上端４５の端面４６に当接する状態で、効率的に芳香液体４２を掻き飛ばして芳香気体を生成することができるならば、他の形態により飛散体２５を構成してもよい。
【００６０】
図３は、図１の実施例において、液体容器本体４０、液体容器蓋部４１、及び吸上芯４３を互いに分離した状態を示す斜視図である。芳香液体４２を収容する液体容器４は、液体容器本体４０と液体容器蓋部４１からなり、液体容器蓋部４１の開口部から吸上芯４３が挿入される。吸上芯４３の芯下端４４は芳香液体４２に浸漬され、吸上芯４３の芯上端４５は液体容器蓋部４１の開口部から突出している。
【００６１】
吸上芯４３は芳香液体４２を吸上げ、芯上端４５の端面４６は芳香液体４２で湿潤する。吸上芯４３は、多孔質若しくはガラス繊維等の繊維質の素材から構成され、毛細管現象
又は他の機構による吸上げ力の補助により芳香液体４２を輸送する。吸上芯４３において、芯上端４５の端面４６及びその近傍の素材は、端面４６に当接する飛散体２５の回転による摩耗に対して耐性を有する。
【００６２】
図４は、図１の実施例において、吸上芯４３を挿入した状態の液体容器４と、１階６の斜視図である。液体容器４から吸上芯４３の芯上端４５が突出している。１階６は１階本体部６ａを含み、１階本体部６ａは１階本体部側壁６２と１階本体部底板６１を有する。液体容器４は１階本体部底板６１上に載置され、１階本体部側壁６２により液体容器４の水平位置が規制される。
液体容器４を載置したときに液体容器４に対向する、１階本体部底板６１及び１階本体部側壁６２の表面をクッション部材で覆うことにより、芯上端４５に回転する飛散体２５が当接しているために吸上芯４３及び液体容器４に発生するおそれのある振動を抑制することができる。
【００６３】
図５は、ファン３としてシロッコファン３０を用いる本発明の１つの実施例における、モータ５、放出口８１を含む２階８、及びシロッコファン３０の分解斜視図である。２階８には天板８２が配置され、天板８２の天板開口部から外方に向けて設けられたモータ収納室８３にモータ５が収納される。モータ５の回転軸５１は天板開口部から２階８の内部に垂下され、回転軸５１はシロッコファン３０の上側板状部材３３の回転軸挿着部３３ａに挿着され、回転矢印５１ａが示すようにモータ５が駆動する回転軸５１の回転によりシロッコファン３０が回転する。
なお、図５においては、モータ５の回転軸５１は回転軸挿着部３３ａに直接、挿着されている。しかしながら、図５の実施例を変形して、シャフトやギヤ、カム、ベルト等からなる動力伝達部を設け、当該動力伝達部を介して、モータ５の回転軸５１の回転により、シロッコファン３０又はファン３が回転するように、芳香発散装置を構成してもよい。
【００６４】
シロッコファン３０は、離間させた上側板状部材３３の周縁部と下側円状リング３２とを連結する多数の翼板３１を有し、上側板状部材３３の回転軸挿着部３３ａにはモータ５の回転軸５１が挿着され、下側円状リング３２は重力の方向に配置される。
シロッコファン３０は、その回転に伴い、下側円状リング３２の下方の空気を吸上げ、又、上側板状部材３３が上側板状部材開口部３３ｂを有する場合にはその上方からも空気を吸い込んで、吸上げた空気若しくは吸い込んだ空気を多数の翼板３１の間から２階８の内部空間に放出する。放出された空気は気流となって、放出口８１から外部へと流出する。
【００６５】
上側板状部材開口部３３ｂが設けられた上側板状部材３３は、その周縁部と回転軸挿着部３３ａを連結する上側板状部材輻部３３ｃを有する。シロッコファン３０の回転により、上側板状部材３３の上方から上側板状部材開口部３３ｂを通ってシロッコファン３０内部へと向かう空気の流れが生じるから、モータ収納室８３は２階８内部に対して負圧に保たれる。したがって、湿度の高い２階８内の芳香気体のモータ収納室８３への漏入が妨げられ、モータ５や電気回路の酸化等による劣化を抑制することができる。
【００６６】
飛散部材２は、飛散体の周縁部を上側環状部材と下側環状部材で狭着して構成され、半径方向外方に突設された２本以上の腕２２を有し、飛散部材２の腕２２の先端は、翼板３１と翼板３１の間から突出して下側円状リング３２に載置され、飛散部材２は上下方向に自由に動き得る状態に保たれる。
シロッコファン３０内部の、飛散体と芯上端の端面の当接部位で芳香液体が掻き飛ばされて生成した芳香気体は、回転するシロッコファン３０の多数の翼板２２が生成する気流に乗り、効率的に周囲の空間に拡散する。
【００６７】
飛散部材２は上記の自由状態に保たれるから、飛散体が軸上端の端面に大きすぎる圧力を加えて、飛散体や芯上端が磨滅するおそれは少ない。シロッコファン３０の翼板３１は、吸気送風機能を果たすとともに、飛散部材２が鉛直方向への移動の自由状態を保ちつつ、シロッコファン３０に組み込まれて矢印２ａが示すように回転することを可能にするから、ファン３としてシロッコファン３０を用いることで、部品点数が少なくコンパクトな芳香発散装置の提供が可能となる。
【００６８】
なお、本実施例を変形した実施例においては、シロッコファン３０をモータで回転させるのではなく、天板８２からベアリング等を介して垂下したシャフトにシロッコファン３０を挿着し、当該シャフト及びシロッコファン３０を自由に回転可能とし、当該シロッコファン３０の下側円状リング３２に飛散部材２を載置して、本芳香発散装置１の外部から送風機を用いて送風し、或いは、本芳香発生装置１内に別に設けたファンにより送風して気流を発生させ、当該気流によりシロッコファン３０を回転させ、飛散体と芯上端の端面の当接部位で芳香液体が掻き飛ばされて生成した芳香気体を、当該気流に乗せて、周囲の空間に拡散させることもできる。更にこの実施例においてはシロッコファン３０の代わりに、下側円状リング３２を有し、飛散部材２を載置することのできる、別の形態のファン３を用いてもよい。
【００６９】
図６は、図５に示す本発明の一実施形態における、飛散部材２の１つの実施例を示す。図（６Ａ）は飛散部材２の分解斜視図であり、図（６Ｂ）は飛散部材２の外観斜視図である。飛散部材２は、飛散体２５の周縁部を上側環状部材２６と下側環状部材２１で狭着保持して一体化して構成される。飛散部材２において、飛散体２５の中央部は上下から視認できるように構成されるので、飛散体２５の中央部を空気が自由に通過できる。飛散部材２は、下側環状部材２１から半径方向外方に突設された２本以上の腕２２を有する。
【００７０】
腕２２には狭着突起２２ｂが設けられ、飛散体２５の周縁部を上側環状部材２６と下側環状部材２１で狭着する際には、２つ以上の狭着突起２２ｂの間に上側環状部材を圧嵌する。なお、上記狭着における上側環状部材２６と下側環状部材２１の接合には、圧嵌の他に、接着や係合、螺合を用いてもよい。
【００７１】
腕２２の先端には突起２２ａが設けられている。突起２２ａは、飛散部材２の腕２２の先端を下側円状リング３２に載置する際に、飛散部材２の水平位置を規制するのに役立つ。
【００７２】
上側環状部材２６の厚み等の形状を変え、又は、上側環状部材２６及び下側環状部材２１の素材を変えることにより、一体化してなる飛散部材２の自重を容易に変更することができる。飛散部材２の自重は、飛散体２５が芯上端４５の端面４６に当接する際の圧力を決める。したがって、芯上端４５から十分な量の芳香液体を掻き飛ばすことができ、かつ、芯上端４５や飛散体２の摩耗を抑制できるような自重を有する飛散部材２を容易に構成することができる。
【００７３】
図７は飛散部材２の、図６とは異なる１つの実施例（以下では飛散部材２０と呼ぶ）を示す。図（７Ａ）は飛散部材２０の分解斜視図であり、図（７Ｂ）は飛散部材２０の外観斜視図である。飛散部材２０は、飛散体２５の周縁部を上側環状部材２６と下側環状部材２１で狭着保持して一体化して構成される。飛散部材２０において、飛散体２５の中央部は上下から視認できるように構成されるので、飛散体２５の中央部を空気が自由に通過できる。飛散部材２０は、下側環状部材２１から半径方向外方に突設された２本以上の腕２２を有する。腕２２の先端には、下側円状リングへの載置時に飛散部材２の水平位置を規制するための突起２２ａが設けられている。
【００７４】
上側環状部材２６には、脚部突起２７ａを有する狭着脚部２７が設けられている。下側環状部材２１は環状部材側面部２４を有し、環状部材側面部２４からリング状に突設された環状部材鍔部２２ｃは、腕２２と外観上一体化している。環状部材鍔部２２ｃは切り掛れた狭着脚部受部２３を有する。上記の狭着の際には上側環状部材２６の、脚部突起２７ａを有する狭着脚部２７を、下側環状部材２１の狭着脚部受部２３に係合して、狭着による一体化により飛散部材２０を構成する。なお、上記狭着における上側環状部材２６と下側環状部材２１の接合には、係合の他に、接着や螺合を用いてもよい。
【００７５】
上側環状部材２６には、狭着脚部２７の付け根の近傍に上部貫通孔２８が設けられている。上部貫通孔２８の大きさを調節することにより、上記の狭着の際に必要とされる、狭着脚部２７の反り返りに対する剛性を調節することができる。
【００７６】
下側環状部材２１の環状部材側面部２４には、環状部材窓部２４ａが設けられている。環状部材窓部２４ａを設けることにより、以下の効果が期待できる。第１に、飛散部材２０の軽量化を図り、製造コストを低廉化することができる。第２に、飛散部材２０の自重を減らし、回転する飛散体２５が当接する芯上端４５の端面４６に飛散部材２０の重量により加わる圧力を減じ、飛散体２５、及び端面４６の摩耗を少なくすることができる。第３に、環状部材窓部２４ａの大きさ及び形状を調節することにより、飛散部材２０の固有振動数を容易に変更し、使用時に共振を起こしにくい飛散部材２０を構成することができる。
【００７７】
更に第４に、環状部材窓部２４ａを設けることにより、必ずしも鉛直方向上向きとは限らないファン３の内部の気流を効果的に飛散部材２０の内部に取り込んで飛散体２５に導き、飛散体２５の近傍で生成される芳香気体を気流に乗せて効率的に周囲に拡散させることができる。
【００７８】
図８と図９は互いに関連した図であり、図９は本発明の１つの実施例を斜視図で示す。図８は、図９の実施例の分解斜視図である。
本実施例の芳香発散装置は、上方が開放された１階本体部６ａと、仕切壁７０とその周壁７２からなる連結用板部７と、上方が天板８２で覆われ、下方が開放された２階本体部８ａから構成され、１階は１階本体部６ａを含み、２階は２階本体部８ａと連結用板部７を含み、連結用板部７は１階本体部６ａの上に積層配置され、２階本体部８ａは連結用板部７の周壁７２に内嵌されるように積層配置されるから、構造的に強固で、かつコンパクトである。
【００７９】
１階本体部６ａには、芳香液体を収容する液体容器が載置され、液体容器の液体容器蓋部４１の開口部から吸上芯４３の芯上端４５が突出している。仕切壁７１には仕切壁開口部７１が設けられ、芯上端４５は仕切壁開口部７１から２階に突出する。
周壁７２には、一部に壁のない周壁欠片部７３が設けられている。２階本体部８ａを周壁７２に内嵌するように仕切壁７０の上に積層配置する際には、２階本体部８ａから突出した放出口８１が周壁欠片部７３の直上に配置される。周壁欠片部７３を設けることにより、内嵌による積層配置を可能にするとともに、放出口７３から吹き出す芳香気体を含む空気の流れを周壁７２が妨げることのないようにしている。
【００８０】
２階の天板８２の天板開口部から外方に向けて設けられたモータ収納室８３にモータ５が収納される。モータ５の回転軸は天板開口部から２階の内部に垂下され、当該回転軸はシロッコファン３０に挿着され、モータ５が駆動する当該回転軸の回転によりシロッコファン３０が回転する。
モータ収納室８３は２階の外方に向けて設けられ、モータ５の電極端子は、シロッコファン３０により２階の内部で生成され、放出口８１から送り出される芳香気体を含む気流
に直接当たらない場所に配置される。したがって、モータ５を含む電気回路は、芳香気体の結露等に起因する劣化のおそれが少ない。
【００８１】
本発明の１つの実施形態においては、芳香発散装置１はモータ５を制御する制御部５２を有し、制御部５２は外部電源によってモータ５を駆動し、又は、制御部５２は１階６、２階８、若しくは天板８２に配置された内部電源によりモータ５を駆動するから、環境条件に応じて芳香発散の強さを容易に多段階に、或いは連続的に調節することができ、又、特定の場所に据え置いて用い、或いは手軽に持ち運んで使用可能な芳香発散装置１を提供することができる。
芳香発散の強さは、モータ５の１分間あたりの回転数を変えることにより制御できる。モータ５の１分間あたりの回転数を一定に保つならば、芳香発散の強さは、吸上芯４３の形状や材質の選択により、或いは飛散体２５の素材や形態の選択により、或いは飛散部材２の重量の調整により、或いは芳香液体４２の組成の調整により変更できる。
【００８２】
本発明の１つの実施形態においては、制御部５２はタイマを有し、予め設定した時間の間だけ、或いは予め設定した時間帯において、予め設定した１分当たりの回転数でモータ５を駆動するから、予め予定した時間帯の間だけ、或いは／及び、予め予想される環境条件の変化に応じて１分当たりの回転数を変化させながらモータ５を駆動する芳香発散装置１を提供することができる。環境条件としては、室内の空気の温度、室内の空気の湿度、照度（又は、芳香発散装置１を設置した部屋の利用状況）などがあり得る。
【００８３】
本発明は、上記の実施形態や変形例に限定されるものではなく、本発明の技術的思想を逸脱しない範囲における種々変形例、設計変更などをその技術的範囲内に包含するものであることは云うまでもない。
【産業上の利用可能性】
【００８４】
本発明は、回転、回動又は往復運動する飛散部材を含む新規でシンプルな機械的構造の採用と、回転数制御及び時間制御により、温度や湿度等の環境条件の変化にほとんど影響されることなく一定の芳香発散作用を維持し、装置内結露のおそれが少なく、部品点数が少なく安価に製造可能であり、電気回路構成もシンプルで、かつコンパクトな芳香発散装置を提供することができる。本発明に係る芳香発散装置は、芳香用品小売業界、家庭用若しくは業務用の電器製品業界、香料業界など多くの業界において利用できるものである。
【符号の説明】
【００８５】
１      芳香発散装置
２      飛散部材
２ａ    矢印
３      ファン
４      液体容器
５      モータ
６      １階
６ａ    １階本体部
７      連結用板部
８      ２階
８ａ    ２階本体部
９      本体
２０      飛散部材
２１      下側環状部材
２２      腕
２２ａ    突起
２２ｂ    狭着突起
２２ｃ    環状部材鍔部
２３      狭着脚部受部
２４      環状部材側面部
２４ａ    環状部材窓部
２５      飛散体
２６      上側環状部材
２７      狭着脚部
２７ａ    脚部突起
２８      上部貫通孔
３０      シロッコファン
３１      翼板
３２      下側円状リング
３３      上側板状部材
３３ａ    回転軸挿着部
３３ｂ    上側板状部材開口部
３３ｃ    上側板状部材輻部
４０      液体容器本体
４１      液体容器蓋部
４２      芳香液体
４３      吸上芯
４４      芯下端
４５      芯上端
４６      端面
５１      回転軸
５１ａ    回転矢印
５２      制御部
６１      １階本体部底板
６２      １階本体部側壁
７０      仕切壁
７１      仕切壁開口部
７２      周壁
７３      周壁欠片部
８１      放出口
８２      天板
８２ａ    天板開口部
８３      モータ収納室
【図１】
2018000586.tif 000003
【図２】
2018000586.tif 000004
【図３】
2018000586.tif 000005
【図４】
2018000586.tif 000006
【図５】
2018000586.tif 000007
【図６】
2018000586.tif 000008
【図７】
2018000586.tif 000009
【図８】
2018000586.tif 000010
【図９】
2018000586.tif 000011
【図１０】
2018000586.tif 000012
【図１１】
2018000586.tif 000013
【図１２】
2018000586.tif 000014
【図１３】
2018000586.tif 000015
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
芳香液体を収容する液体容器と、少なくとも前記芳香液体に芯下端が浸漬され、前記芳香液体を吸い上げ前記液体容器の開口部から芯上端が突出する吸上芯と、前記芯上端の端面を擦りながら前記端面に当接して芯上端の芳香液体を強制的に掻き飛ばして飛散させ芳香気体を生成する飛散体を、少なくとも有することを特徴とする芳香発散装置。
【請求項２】
前記飛散体は、前記端面に回転、回動、又は直線状若しくは曲線状の往復運動のいずれかの運動形態で当接する請求項１に記載の芳香発散装置。
【請求項３】
前記芳香気体を大気中に放散させるファンを有し、前記ファンはモータにより回転駆動される請求項1又は２に記載の芳香発散装置。
【請求項４】
前記飛散体は前記ファンに組み込まれており、前記ファンの回転により前記飛散体も回転する請求項３に記載の芳香発散装置。
【請求項５】
前記飛散体の周縁部が上側環状部材と下側環状部材で狭着保持されてなる飛散部材を設け、前記飛散部材は前記飛散体の中央部が上下から視認できるように構成され、前記飛散部材は、前記飛散部材の自重により前記飛散体の中央部が前記端面に載置されるように配置され、前記飛散部材が前記ファンに組み込まれて前記飛散部材が回転する請求項４に記載の芳香発散装置。
【請求項６】
前記飛散部材は前記上側環状部材又は前記下側環状部材から半径方向外方に突設された２本以上の腕を有し、また前記ファンはシロッコファンであり、このシロッコファンは離間させた上側板状部材の周縁部と下側円状リングとを連結する多数の翼板を有し、前記上側板状部材には前記モータの回転軸が挿着され、前記下側円状リングは重力の方向に配置され、前記飛散部材の前記腕の先端は、翼板と翼板の間から突出して前記下側円状リングに載置され、前記飛散部材は鉛直方向への移動の自由状態である請求項５に記載の芳香発散装置。
【請求項７】
１階と２階とからなる本体を有し、前記１階には前記液体容器が配置され、前記芯上端は前記２階に突出して配置され、前記飛散体は前記２階に吊下されて前記芯上端に対向して配置され、前記１階及び/又は前記２階には芳香気体の放出口が開口されている請求項１〜６のいずれかに記載の芳香発散装置。
【請求項８】
前記２階には天板が配置され、前記天板の天板開口部から外方に向けて設けられたモータ収納室を有し、前記モータは前記モータ収納室に収納され、前記モータの回転軸は前記天板開口部から前記２階の内部に垂下され、前記回転軸の回転により前記飛散体を回転、回動、又は直線状若しくは曲線状の往復運動のいずれかの運動形態で運動させる請求項７に記載の芳香発散装置。
【請求項９】
前記本体は、上方が開放された１階本体部と、仕切壁とその周壁からなる連結用板部と、上方が天板で覆われ、下方が開放された２階本体部から構成され、前記１階は前記１階本体部を含み、前記２階は前記２階本体部と前記連結用板部を含み、前記連結用板部は前記１階本体部の上に積層配置され、前記２階本体部は前記連結用板部の周壁に内嵌されるように積層配置される請求項７又は８に記載の芳香発散装置。
【請求項１０】
前記飛散体はメッシュ体、線条体、突起体のいずれかである請求項１〜９のいずれかに記載の芳香発散装置。
【請求項１１】
前記モータを制御する制御部を有し、前記制御部は外部電源によって前記モータを駆動し、又は、前記制御部は前記１階、前記２階、若しくは前記天板に配置された内部電源により前記モータを駆動する請求項８〜１０のいずれかに記載の芳香発散装置。
【請求項１２】
前記制御部はタイマを有し、予め設定した時間の間だけ、或いは予め設定した時間帯において、予め設定した１分当たりの回転数で前記モータを駆動する請求項１１に記載の芳香発散装置。